(57)【特許請求の範囲】
【請求項１】
予め形成された多数のセグメントを周方向に連設して組み合わせたリングが、上下方向に組み合わされて延在してなる躯体を有する構造物の基礎であって、
前記各セグメントは、組み合わされた際に躯体の延在方向に連通する内空部を有すると共に、躯体の延在方向の両端面における前記内空部の開口の周囲にそれぞれ嵌合凹部と環状突起が設けられて、隣接する一対のリングの一方におけるセグメントの環状突起が他方におけるセグメントの嵌合凹部に嵌合され、前記内空部には、前記延在方向に長い張力材が配置されると共に、コンクリートが充填されていることを特徴とする構造物の基礎。
【請求項２】
前記各セグメントは、その周方向に並んで前記内空部が一対設けられ、隣接する一対のリングにおけるセグメント同士が互いに周方向に該周方向の長さの半分だけずれた状態で前記環状突起が嵌合凹部に嵌合されていることを特徴とする請求項１記載の構造物の基礎。
【発明の詳細な説明】
【０００１】
【発明の属する技術分野】
本発明は、構造物の基礎に係わり、特に、工期の短縮を図ることができる構造物の基礎に関する。
【０００２】
【従来の技術】
構造物の基礎は、地盤に設けられ、構造物本体を支持するものであり、この種の基礎は、型枠を用いて現場でコンクリートを打設して形成されるのが一般的である。また、ケーソン基礎を地盤中に沈下させて埋設する場合にも、そのケーソン基礎は、型枠を用いて現場でコンクリートを打設して形成される場合がある。
【０００３】
【発明が解決しようとする課題】
ところで、そのようなコンクリート基礎において、大きな支持力を得るために、地盤中に深く埋設しようとすると、多量のコンクリート打設を要することとなり、その養生に、長い期間を必要とする。このため、長期の工期を必要とすることとなるという不都合がある。
【０００４】
本発明は、上記事情に鑑み、工期の短縮を図ることができる構造物の基礎を提供することを目的としている。
【０００５】
【課題を解決するための手段】
第一の発明の構造物の基礎は、予め形成された多数のセグメントを周方向に連設して組み合わせたリングが、上下方向に組み合わされて延在してなる躯体を有する構造物の基礎であって、前記各セグメントは、組み合わされた際に躯体の延在方向に連通する内空部を有すると共に、躯体の延在方向の両端面における前記内空部の開口の周囲にそれぞれ嵌合凹部と環状突起が設けられて、隣接する一対のリングの一方におけるセグメントの環状突起が他方におけるセグメントの嵌合凹部に嵌合され、前記内空部には、前記延在方向に長い張力材が配置されると共に、コンクリートが充填されていることを特徴とする。
即ち、多数のセグメントを、組み合わせて躯体を形成した後には、待ち時間を設けずとも、直ちに次の作業に移ることが可能である。また、隣接するリング同士が環状突起と嵌合凹部により係合され、張力材がコンクリートにより躯体内に埋設されているので、隣接するリング同士の周方向及び水平方向の位置ずれが防止され、躯体の強度が向上される。また、躯体内への張力材の埋設は、各セグメントを組み合わせた後に、躯体の延在方向に連通する内空部にその延在方向に長い張力材を配置して、その内空部にコンクリートを打設することで容易に行なうことが可能である。
【０００６】
第二の発明は、第一の発明の構造物の基礎において、各セグメントは、その周方向に並んで内空部が一対設けられ、隣接する一対のリングにおけるセグメント同士が互いに周方向に該周方向の長さの半分だけずれた状態で環状突起が嵌合凹部に嵌合されていることを特徴とする。即ち、隣接されるリングのセグメントが千鳥組みの状態で組まれるので、それらのセグメンの継手部が躯体の強度弱点にならない。
【０００７】
【発明の実施の形態】
以下、本発明の一実施形態を図面に基づき説明する。
図１に示すように、基礎１００は、円筒形の躯体１０を有している。躯体１０は、上下方向に連設されるように組み合わされた多数の円環状をなすリング２０を有しており、各リング２０は、予めコンクリートで成形された多数のセグメント３０をリング２０の周方向に連設するように組み合わせ、ボルト接合されて形成されている。各セグメント３０は、長方形の板体を周方向に沿って円弧状に湾曲させた形状をなしている。
【０００８】
各セグメント３０は、前記周方向に並んだ一対の内空部３１、３１を有しており、各内空部３１は、図２に示すように上下に貫通され、上方から見て図３に示すように周方向に長い長方形をなしている。各セグメント３０の周方向の両側壁３２、３２には、図２に示すように上下一対のボルト孔３３、３３が内空部３１から隣接するセグメント３０の側壁３２に向けて貫通形成されており、隣接するセグメント３０の側壁３２のボルト孔３３、３３は連通されて配置され、その連通したボルト孔３３、３３、３３、３３に長ボルト３８を挿通して締めることにより、周方向に隣接するセグメント３０、３０は、接合されている。
【０００９】
各セグメント３０の一対の内空部３１、３１の上端開口には、それぞれ、図３に示すようにその縁を切り欠いた状態の嵌合凹部３５、３５が形成されており、図２に示すように各セグメント３０の下面には、一対の内空部３１、３１の下端開口の周囲を取巻く長方形の環状をなす環状突起３６、３６が設けられている。
【００１０】
上下に隣接されるリング２０、２０は、双方のリング２０、２０の各セグメント３０、３０が、互いにセグメント３０、３０の周方向の長さの半分だけずれた状態で組まれており、上下に隣接するセグメント３０、３０の各内空部３１、３１は、それぞれ上下に連通され、その上方のセグメント３０の環状突起３６は、下方のセグメント３０の嵌合凹部３５に嵌合されている。従って、各内空部３１は、図１に示す躯体１０の下端から上端まで連通され、各内空部３１には、張力材としての８本の鉄筋４１が躯体１０の上端から下端まで挿通され、図３に示す内空部３１の内壁に沿って配置されており、その各内空部３１には、コンクリート４３が充填されている。
【００１１】
図１の基礎１００は以上のような構成を有するので、多数のセグメント３０を、組み合わせて躯体１０を形成した後には、待ち時間を設けずとも、直ちに次の作業に移ることが可能であるので、基礎１００の施工の工期短縮を図ることができる。
【００１２】
この躯体１０の隣接するリング２０、２０同士の接合は、躯体１０の延在方向に連通する内空部３１、３１にその延在方向に長い鉄筋４１を連続させて配置して、その内空部３１、３１にコンクリート４３を打設することで容易に行なうことが可能であり、この鉄筋４１及びコンクリート４３により、隣接するリング２０、２０同士の接合を強固に行なうことができる。また、この鉄筋４１により躯体１０は、その延在方向、即ち、図１上下方向の引張強度を十分に得ることができる。
【００１３】
また、隣接するリング２０、２０同士は、躯体１０の延在方向に連通する内空部３１、３１に連続して設けられた鉄筋４１及びコンクリート４３により、その周方向及び水平方向の位置ずれが防止されている。その上、図２に示すように環状突起３６と嵌合凹部３５により係合されているので、これによって、隣接するリング２０同士の周方向及び水平方向の位置ずれ防止効果が向上されている。よって、躯体１０の水平方向の剪断強度及びねじれ強度を十分に得ることができる。
【００１４】
また、上下に隣接されるセグメント３０、３０が、千鳥組み、即ち、互いにセグメント３０の周方向の長さの半分だけずれた状態で組まれているので、セグメント３０、３０の継手部（側壁３２）は躯体１０の強度的弱点にならない構造となる。
【００１５】
尚、各リング２０において隣接するセグメント３０、３０同士は、長ボルト３８により、強固に接合されている。
【００１６】
従って、十分な強度及び剛性をもつ基礎１００の躯体１０を、容易かつ迅速に形成することができる。
【００１７】
また、この躯体１０は、組んだ後に地盤中に沈下させて設置させてもよいし、地盤中に沈下させながら、組み上げていってもよいし、地盤中で組むようにしてもよい。設置後には、躯体１０内部の底部にコンクリートを打設充填する。
【００１８】
尚、上記実施形態のセグメント３０は、必ずしもコンクリートで成形する必要はなく、鋼板、鋼材を組み合わせて形成するようにしてもよい。
【００１９】
また、張力材として８本の鉄筋４１を設けたが、この鉄筋４１に代えてＰＣ鋼材を設ける構成としてもよい。この場合には、ＰＣ鋼材に予め張力を加えておくことができるので、リング２０同士の接合力を高めることができる。
【００２０】
また、躯体１０は、円筒形に限らず、角筒形（いわゆるボックス）や、水平断面、小判形、楕円形の筒であってもよい。
【００２１】
【発明の効果】
第一の発明の構造物の基礎によれば、躯体を形成した後には、従来のようなコンクリート養生のための待ち時間を設けずとも、直ちに次の作業に移ることが可能であるので、工期の短縮を図ることができると共に、施工が容易であり、隣接するリング同士が環状突起と嵌合凹部により係合されているので、周方向及び水平方向の位置ずれを防止効果が向上され、躯体の水平方向の剪断強度及びねじれ強度の向上を図ることができる。
【００２２】
第二の発明の構造物の基礎によれば、上記効果に加えて、隣接されるリングのセグメントが千鳥組みの状態で組まれるので、それらのセグメントの継手部が躯体の強度弱点にならないという効果を奏する。
【図面の簡単な説明】
【図１】  本発明の構造物の基礎の一実施形態を示す斜視図である。
【図２】  図１の基礎の躯体の各リングの接合を示す正面図である。
【図３】  図２のリングの各セグメントの接合を示す平面図である。
【符号の説明】
１０…躯体
３０…セグメント
３１…内空部
４１…鉄筋（張力材）
４３…コンクリート
１００…基礎
【図１】
0003801678.tif 000002
【図２】
0003801678.tif 000003
【図３】
0003801678.tif 000004